【手続補正書】
【提出日】平成16年4月22日(2004.4.22)
【手続補正１】
【補正対象書類名】明細書
【補正対象項目名】発明の名称
【補正方法】変更
【補正の内容】
【発明の名称】受光装置、光ピックアップ装置、情報再生／記録装置および情報処理装置


【手続補正２】
【補正対象書類名】明細書
【補正対象項目名】特許請求の範囲
【補正方法】変更
【補正の内容】
【特許請求の範囲】
【請求項１】
対象物に光を照射する光源と、その反射光を分割して受光する複数の受光素子とを備えている受光装置において、
前記各受光素子が出力する電流信号の電圧信号への変換、加算および減衰を行う信号処理回路を備えていることを特徴とする受光装置。
【請求項２】
前記信号処理回路の出力する電圧信号に対する相補信号を、所定の基準電圧を中心に前記信号処理回路の出力する電圧信号と対称な波形である信号を減衰させた信号として生成する相補信号生成回路を備えていることを特徴とする請求項１に記載の受光装置。
【請求項３】
対象物に光を照射する光源と、その反射光を分割して受光する複数の受光素子とを備えている受光装置において、
前記各受光素子が出力する電流信号の電圧信号への変換および加算を行う信号処理回路と、
この信号処理回路の出力する電圧信号に対する相補信号を、所定の基準電圧を中心に前記信号処理回路の出力する電圧信号と対称な波形である信号を所定程度レベルシフトさせた信号として生成する相補信号生成回路と、
を備えていることを特徴とする受光装置。
【請求項４】
前記信号処理回路は、
前記各受光素子が出力する電流信号をそれぞれ電圧信号に変換する複数のＩ／Ｖ変換器と、
この変換後の各電圧信号を加算する加算器と、
を備えていて、
前記相補信号生成回路は、
前記信号処理回路の出力する電圧信号の入力を受付け、当該電圧信号とは前記所定の基準電圧を中心に対称な波形である信号を生成する反転回路と、
この反転回路で生成した信号を前記所定程度レベルシフトさせた信号を生成するシフト回路と、
を備えていることを特徴とする請求項３に記載の受光装置。
【請求項５】
前記信号処理回路は、
前記各受光素子が出力する電流信号をそれぞれ電圧信号に変換する複数のＩ／Ｖ変換器と、
この変換後の各電圧信号を加算する加算器と、
を備えていて、
前記相補信号生成回路は、
前記各Ｉ／Ｖ変換器が出力する電圧信号を加算した電圧信号とは前記所定の基準電圧を中心に対称な波形である信号を生成する反転加算器と、
この反転加算器で生成した信号を前記所定程度レベルシフトさせた信号を生成するシフト回路と、
を備えていることを特徴とする請求項３に記載の受光装置。
【請求項６】
前記信号処理回路は、前記各受光素子が出力する電流信号の電圧信号への変換および加算に加えて減衰も行うものであり、
前記反転加算器を備えた前記相補信号生成回路は、生成した前記相補信号を減衰する減衰器を備えていることを特徴とする請求項３〜５のいずれかの一に記載の受光装置。
【請求項７】
光ピックアップ装置において、
請求項１〜６のいずれかの一に記載の受光装置を備えていることを特徴とする光ピックアップ装置。
【請求項８】
記憶媒体に対して光学的に情報の再生および記録のうちの一方または両方を実行可能である情報再生／記録装置において、
前記記憶媒体を前記対象物とする請求項７に記載の光ピックアップ装置と、
この光ピックアップを移動する移動装置と、
前記記憶媒体に対する前記光の照射位置を検出する検出手段と、
この検出の結果に基づいて前記照射位置を前記記憶媒体上の情報の読取りまたは書込み位置に追従させるように前記移動装置を制御する制御手段と、
前記光ピックアップ装置と別体に設けられていて、この光ピックアップ装置とは前記信号処理回路および前記相補信号生成回路が出力する電圧信号の送受信のために伝送路で接続されており、前記信号処理回路が出力する電圧信号に基づいて前記記憶媒体に記憶されている情報を再生する再生手段と、
を備えていることを特徴とする情報再生／記録装置。
【請求項９】
請求項８に記載の情報再生／記録装置を備え、
各種の情報処理の実行が可能であることを特徴とする情報処理装置。
【手続補正３】
【補正対象書類名】明細書
【補正対象項目名】００１３
【補正方法】変更
【補正の内容】
【００１３】
【課題を解決するための手段】
請求項１に記載の発明は、対象物に光を照射する光源と、その反射光を分割して受光する複数の受光素子とを備えている受光装置において、前記各受光素子が出力する電流信号の電圧信号への変換、加算および減衰を行う信号処理回路を備えていることを特徴とする受光装置である。


【手続補正４】
【補正対象書類名】明細書
【補正対象項目名】００１５
【補正方法】変更
【補正の内容】
【００１５】
請求項２に記載の発明は、請求項１に記載の受光装置において、前記信号処理回路の出力する電圧信号に対する相補信号を、所定の基準電圧を中心に前記信号処理回路の出力する電圧信号と対称な波形である信号を減衰させた信号として生成する相補信号生成回路を備えていることを特徴とする。


【手続補正５】
【補正対象書類名】明細書
【補正対象項目名】００１７
【補正方法】変更
【補正の内容】
【００１７】
請求項３に記載の発明は、対象物に光を照射する光源と、その反射光を分割して受光する複数の受光素子とを備えている光ピックアップ装置において、前記各受光素子が出力する電流信号の電圧信号への変換および加算を行う信号処理回路と、この信号処理回路の出力する電圧信号に対する相補信号を、所定の基準電圧を中心に前記信号処理回路の出力する電圧信号と対称な波形である信号を所定程度レベルシフトさせた信号として生成する相補信号生成回路と、を備えていることを特徴とする受光装置である。


【手続補正６】
【補正対象書類名】明細書
【補正対象項目名】００１９
【補正方法】変更
【補正の内容】
【００１９】
請求項４に記載の発明は、請求項３に記載の受光装置において、前記信号処理回路は、前記各受光素子が出力する電流信号をそれぞれ電圧信号に変換する複数のＩ／Ｖ変換器と、この変換後の各電圧信号を加算する加算器と、を備えていて、前記相補信号生成回路は、前記信号処理回路の出力する電圧信号の入力を受付け、当該電圧信号とは前記所定の基準電圧を中心に対称な波形である信号を生成する反転回路と、この反転回路で生成した信号を前記所定程度レベルシフトさせた信号を生成するシフト回路と、を備えていることを特徴とする。


【手続補正７】
【補正対象書類名】明細書
【補正対象項目名】００２１
【補正方法】変更
【補正の内容】
【００２１】
請求項５に記載の発明は、請求項３に記載の受光装置において、前記信号処理回路は、前記各受光素子が出力する電流信号をそれぞれ電圧信号に変換する複数のＩ／Ｖ変換器と、この変換後の各電圧信号を加算する加算器と、を備えていて、前記相補信号生成回路は、前記各Ｉ／Ｖ変換器が出力する電圧信号を加算した電圧信号とは前記所定の基準電圧を中心に対称な波形である信号を生成する反転加算器と、この反転加算器で生成した信号を前記所定程度レベルシフトさせた信号を生成するシフト回路と、を備えていることを特徴とする。


【手続補正８】
【補正対象書類名】明細書
【補正対象項目名】００２３
【補正方法】変更
【補正の内容】
【００２３】
請求項６に記載の発明は、請求項３〜５のいずれかの一に記載の受光装置において、前記信号処理回路は、前記各受光素子が出力する電流信号の電圧信号への変換および加算に加えて減衰も行うものであり、前記反転加算器を備えた前記相補信号生成回路は、生成した前記相補信号を減衰する減衰器を備えていることを特徴とする。


【手続補正９】
【補正対象書類名】明細書
【補正対象項目名】００２５
【補正方法】変更
【補正の内容】
【００２５】
請求項７に記載の発明は、光ピックアップ装置において、請求項１〜６のいずれかの一に記載の受光装置を備えていることを特徴とする光ピックアップ装置である。
したがって、請求項１〜６のいずれかの一に記載の発明と同様の作用、効果を奏する。
請求項８に記載の発明は、記憶媒体に対して光学的に情報の再生および記録のうちの一方または両方を実行可能である情報再生／記録装置において、前記記憶媒体を前記対象物とする請求項７に記載の光ピックアップ装置と、この光ピックアップを移動する移動装置と、前記記憶媒体に対する前記光の照射位置を検出する検出手段と、この検出の結果に基づいて前記照射位置を前記記憶媒体上の情報の読取りまたは書込み位置に追従させるように前記移動装置を制御する制御手段と、前記光ピックアップ装置と別体に設けられていて、この光ピックアップ装置とは前記信号処理回路および前記相補信号生成回路が出力する電圧信号の送受信のために伝送路で接続されており、前記信号処理回路が出力する電圧信号に基づいて前記記憶媒体に記憶されている情報を再生する再生手段と、を備えていることを特徴とする情報再生／記録装置である。


【手続補正１０】
【補正対象書類名】明細書
【補正対象項目名】００２６
【補正方法】変更
【補正の内容】
【００２６】
したがって、請求項７に記載の発明と同様の作用、効果を奏する。


【手続補正１１】
【補正対象書類名】明細書
【補正対象項目名】００２７
【補正方法】変更
【補正の内容】
【００２７】
請求項９に記載の発明は、請求項８に記載の情報再生／記録装置を備え、各種の情報処理の実行が可能であることを特徴とする情報処理装置である。


【手続補正１２】
【補正対象書類名】明細書
【補正対象項目名】００２８
【補正方法】変更
【補正の内容】
【００２８】
したがって、請求項８に記載の発明と同様の作用、効果を奏する。


【手続補正１３】
【補正対象書類名】明細書
【補正対象項目名】００５７
【補正方法】変更
【補正の内容】
【００５７】
請求項８に記載の発明は、請求項７に記載の発明と同様の作用、効果を奏する。
請求項９に記載の発明は、請求項８に記載の発明と同様の作用、効果を奏する。